(57)【要約】【課題】本発明の目的は、非常電源装置の電源容量不足から駆動できないという問題の生じないエレベーター装置を提供することにある。【解決手段】複数階床からなる建屋に設けられた昇降路と乗場との間で火または煙が流通するのを防ぐ防火防煙手段と、該防火防煙手段を開閉させる駆動装置と、前記駆動装置の電源となる非常電源装置とを備えたエレベーター装置において、火災発生により前記非常電源装置が動作する際、火災発生階の防火防煙手段を閉じた後、火災発生階に近い階の防火防煙手段から順次閉じるようにした。【選択図】  図１
2004155575.tif 000002
【特許請求の範囲】
【請求項１】
複数階床からなる建屋に設けられた昇降路と乗場との間で火または煙が流通するのを防ぐ防火防煙手段と、該防火防煙手段を開閉させる駆動装置と、前記駆動装置の電源となる非常電源装置とを備えたエレベーター装置において、火災発生により前記非常電源装置が動作する際、火災発生階の防火防煙手段を閉じた後、火災発生階に近い階の防火防煙手段から順次閉じるようにしたことを特徴とするエレベーター装置。
【請求項２】
複数階床からなる建屋に設けられた昇降路と乗場との間で火または煙が流通するのを防ぐ防火防煙手段と、該防火防煙手段を開閉させる駆動装置と、前記駆動装置の電源となる非常電源装置とを備えたエレベーター装置において、火災発生により前記非常電源装置が動作する際、火災発生階より上方の階のうち近い階の防火防煙手段から順次閉じた後、火災発生階より下方の階の防火防煙手段を閉じるようにしたことを特徴とするエレベーター装置。
【請求項３】
請求項１または２のいずれかにおいて、火災発生階に近い階群の防火防煙手段から遠い階群の防火防煙手段へと順次閉じるようにしたことを特徴とするエレベーター装置。
【発明の詳細な説明】
【０００１】
【発明の属する技術分野】
本発明は、エレベーター装置に係り、特に、火災時に昇降路と乗場との間で火または煙の流通を防ぐ手段を備えたエレベーター装置に関する。
【０００２】
【従来の技術】
従来から、火災時に昇降路と乗場との間を塞ぐ防火防煙シャッターを備えたエレベーター装置が提案されている（例えば、特許文献１参照）。
【０００３】
【特許文献１】
特開２００１−２７６２４３号公報（第６図）
【０００４】
【発明が解決しようとする課題】
しかしながら、上述した特許文献１のエレベーター装置では、火災発生時、防火防煙シャッターは一斉に駆動されるようになっていた。このため、建屋に非常電源装置が設けられ、この電源を利用してシャッターが駆動される場合、電源容量が不足し駆動できないという問題が生じる恐れがあった。
【０００５】
したがって、本発明の目的は、非常電源装置の電源容量不足から駆動できないという問題の生じないエレベーター装置を提供することにある。
【０００６】
【課題を解決するための手段】
上述の目的を達成するために、本発明では、複数階床からなる建屋に設けられた昇降路と乗場との間で火または煙が流通するのを防ぐ防火防煙手段と、該防火防煙手段を開閉させる駆動装置と、前記駆動装置の電源となる非常電源装置とを備えたエレベーター装置において、火災発生により前記非常電源装置が動作する際、火災発生階の防火防煙手段を閉じた後、火災発生階に近い階の防火防煙手段から順次閉じるようにしたことを特徴とする。
【０００７】
上述した構成によれば、火災発生時、火災発生階の防火防煙手段を閉じた後、火災発生階に近い階の防火防煙手段から遠方の防火防煙手段へと順次閉じるようにしたため、非常電源の容量不足を生じないばかりか、火災発生階から近い階へと昇降路を介して火災が拡大することを防止できる。
【０００８】
【発明の実施の形態】
以下、本発明のエレベーター装置の実施の形態を図に基づいて説明する。
【０００９】
図１は本発明の一実施形態におけるエレベーター装置を備えた建屋全体の縦断側面図、図２は本発明の動作例を示すフローチャートである。
【００１０】
図１において、５階床からなる建屋１の側方には、エレベーター用の昇降路２が設けられている。また、建屋１の屋上に設けられたエレベーター用の機械室３には、エレベーターの駆動装置（図示せず）や制御装置４が設けられている。昇降路２内を昇降する乗かご５は、駆動シーブ６に巻きかけられた主策７を介して吊り合いおもり８と連結されている。次に、各階床の乗場１０と昇降路２との間のエレベーター出入口には乗場ドア９が設けられ、この乗場ドア９の乗場側には、火災時に昇降路２と乗場１０との間で火または煙が流通するのを防ぐ防火防煙手段である防火防煙シャッター１１が設けられている。この防火防煙シャッター１１は、シャッター駆動装置１２によって開閉される構成となっている。更に、建屋１の屋上に設けられた非常電源装置１３は、バッテリーや発電機等で構成され、停電時、各階床に設けられたシャッター駆動装置１２を駆動するようになっている。
【００１１】
また、各階に設けられた火災検知器（図示せず）で検知された情報が通信回線を通して制御装置４内のシャッター制御手段に送られ、この制御手段が検知情報を用いて火災階を特定すると共に、防火防煙シャッター１１を動作するようシャッター駆動装置１２へ指令を出すようになっている。
【００１２】
ここでシャッター制御手段は、火災検知器で検出された検知情報を受信して記憶する検知情報記憶手段と、この検知情報に基づいて火災階を特定する火災階特定手段と、この火災階特定手段で特定された階より上方の階のうち火災階に近い階の防火防煙シャッター１１から順次閉じるように、各シャッター駆動装置１２に対して閉じ指令を出すシャッター指令手段とから構成されている。
【００１３】
以下、本発明の動作について、図２を用いて説明する。まず、建屋１内の各階に設けられた火災検知器により火災かどうかの判定を行う（手順Ｓ１）。ここで、火災を検出しない状態ではエレベーターは正常な運転を行っていることになる。一方、火災が検出されると、火災検知器の検知情報に基づき火災階を特定し（手順Ｓ２）、火災階、例えば階床３で火災が発生した場合は、階床３のシャッター駆動装置１２が、階床３の出入口を防火防煙シャッター１１で閉鎖し（手順Ｓ３）、火炎や煙が昇降路２内に侵入するのを防止する。その後、火災階より上方の階のうち火災階に近い階の防火防煙シャッター１１を順次閉じていく（手順Ｓ４）。例えば、階床４，階床５，階床２最後に階床１の防火防煙シャッター１１と順次閉じていくようになっている。
【００１４】
このように、全ての階のシャッター駆動装置１２を一斉に駆動させるのではなく、各階のシャッター駆動装置毎に１台ずつ駆動させるため、非常電源装置１３の容量が不足するという事態も防止することができる。すなわち、シャッター駆動装置１台を駆動させるだけの少ない電源容量であっても、最終的に全ての階の防火防煙シャッター１１を閉じることができる。また、火災階に近い階の防火防煙シャッター１１から順次閉じるよう、シャッター駆動装置１２が順次駆動されるため、各階への延焼が的確に防止できる。尚、上方階から順次閉じるようにしたのは、火炎や煙は上方階へと移動する傾向があるためであるが、上下の方向に関係無く、火災階に近い階から順次閉じるようにしても構わない。
【００１５】
更に、非常電源装置１３の容量に余裕がある場合は、火災発生階に近い階群のシャッターから遠い階群のシャッターへと順次閉じるようにしても良い。例えば、１５階床の建屋の８階床で火災が発生した場合、階床９〜１１，階床１２〜１５，階床７〜５，階床４〜２、最後に階床１と順次閉じても良い。ここで最後に階床１としたのは、この階床が避難階となっていることを想定したためである。尚、停電にならない通常の電源による場合は、通常通り避難階を除き一斉に駆動しても問題を生じることはない。
【００１６】
また、上述した実施の形態では、非常電源装置１３を建屋１の屋上に設けた例を示したが、機械室３や建屋内の適宜位置に設けても良い。更に、火または煙の流通を防ぐ手段として、シャッターの代わりにスクリーンやドアを用いても良い。
【００１７】
【発明の効果】
本発明によれば、火災発生時、非常電源の容量不足を生じないばかりか、火災発生階から近い階へと昇降路を介して火災が拡大することを防止できる。
【図面の簡単な説明】
【図１】本発明の一実施形態におけるエレベーター装置を備えた建屋全体の縦断側面図である。
【図２】本発明の動作例を示すフローチャートである。
【符号の説明】
１…建屋、２…昇降路、５…乗かご、９…乗場ドア、１０…乗場、１１…防火防煙シャッター、１２…シャッター駆動装置、１３…非常電源装置。
【図１】
2004155575.tif 000003
【図２】
2004155575.tif 000004